(57)【要約】【課題】建物の天井部分に室内ユニットを設置する場合に、室内ユニット全体を断熱材等で覆ったり、各種センサや制御機能を空気調和機に追加したりしなくても、室内ユニットの結露を効果的に抑制することができる空気調和機の設置構造を提供する。【解決手段】建物の天井部分１２に空気調和機の室内ユニット３を設置してなる空気調和機の設置構造であって、室内ユニット３の周辺に、室内ユニット３の側面３ａが面する空間１４ａと天井裏１３の空間とを仕切る仕切り壁１５を備え、この仕切り壁１５によって室内ユニット３の周辺に確保された空間１４ａが室内１１の空間に連通している。【選択図】図１
2017138070.tif 000002
【特許請求の範囲】
【請求項１】
建物の天井部分に空気調和機の室内ユニットを設置してなる空気調和機の設置構造であって、
前記室内ユニットの周辺に、前記室内ユニットの側面が面する空間と天井裏の空間とを仕切る仕切り壁を備え、
前記仕切り壁によって前記室内ユニットの周辺に確保された空間が室内の空間に連通している
ことを特徴とする空気調和機の設置構造。
【請求項２】
前記室内ユニットは、前記室内の空間に面して配置される化粧パネルを備え、
前記化粧パネルと前記仕切り壁との間の開口部分に、通気性を有する目隠し部材が取り付けられている
ことを特徴とする請求項１に記載の空気調和機の設置構造。
【請求項３】
前記目隠し部材がメッシュ構造になっている
ことを特徴とする請求項２に記載の空気調和機の設置構造。
【請求項４】
前記仕切り壁は、前記室内ユニットの上面と前記天井裏の空間とを仕切る天壁部分を有する
ことを特徴とする請求項１〜３のいずれか１つに記載の空気調和機の設置構造。
【請求項５】
前記室内ユニットの上面と前記仕切り壁の天壁部分との間に断熱材が配置されている
ことを特徴とする請求項４に記載の空気調和機の設置構造。
【請求項６】
前記断熱材が弾力性を有する
ことを特徴とする請求項５に記載の空気調和機の設置構造。
【請求項７】
前記建物がメッキ工場である
ことを特徴とする請求項１〜６のいずれか１つに記載の空気調和機の設置構造。
【請求項８】
建物の天井部分に空気調和機の室内ユニットを設置する空気調和機の設置方法であって、
前記建物の天井部分に、天井裏の空間と仕切られ、かつ、室内の空間に連通する凹状空間を仕切り壁によって形成する工程と、
前記仕切り壁によって前記天井裏の空間と仕切られた空間に前記室内ユニットの側面が面するように、前記凹状空間に前記室内ユニットを取り付ける工程と、
を備えることを特徴とする空気調和機の設置方法。
【請求項９】
前記室内ユニットは、前記室内の空間に面して配置される化粧パネルを有し、
前記化粧パネルと前記仕切り壁との間の開口部分に、通気性を有する目隠し部材を取り付ける工程をさらに備える
ことを特徴とする請求項８に記載の空気調和機の設置方法。
【請求項１０】
前記凹状空間に前記室内ユニットを取り付ける工程では、前記室内ユニットの上面と前記仕切り壁の天壁部分との間に断熱材を挟み込む
ことを特徴とする請求項８または９に記載の空気調和機の設置方法。
【請求項１１】
前記建物がメッキ工場である
ことを特徴とする請求項８〜１０のいずれか１つに記載の空気調和機の設置方法。
【発明の詳細な説明】
【技術分野】
【０００１】
本発明は、空気調和機の設置構造、および、空気調和機の設置方法に関する。
【背景技術】
【０００２】
図６は従来における空気調和機の設置例を示す側断面である。
図６においては、建物の天井部分５１に空気調和機の室内ユニット５２が設置されている。室内ユニット５２の本体部分は、天井裏５３の空間に配置されている。天井裏５３の空間は、建物の屋根部分５４と天井部分５１との間に形成される空間である。
【０００３】
このように、天井裏５３に室内ユニット５２を配置した空気調和機では、室内ユニット５２に熱交換器と送風機を内蔵し、熱交換器で熱交換した冷風を送風機で室内５５の空間に供給する構成になっている。ただし、この構成では、室内ユニット５２が天井裏５３の空間に露出するため、室内ユニット５２の表面に結露が生じやすくなる。
【０００４】
そこで、従来においては、室内ユニットの結露防止を目的として断熱材や発泡材（以下、「断熱材等」という。）を使用している。また、従来においては、天井裏の温度を検出する温度センサや天井裏の湿度を検出する湿度センサなどの各種センサを設け、各々のセンサの検出データに基づいて圧縮機の能力を制御する技術が知られている（特許文献１参照）。
【０００５】
さらに、従来においては、天井裏の温度や湿度などを検出する検出手段に加えて、空気調和機の運転経過時間を計測する計測手段を備え、これら検出手段および計測手段の検出データに基づいて空気調和機の能力を制御する技術が知られている（特許文献２参照）。
【先行技術文献】
【特許文献】
【０００６】
【特許文献１】特開平１０−１０３７４３号公報
【特許文献２】特開２００６−８４０４４号公報
【発明の概要】
【発明が解決しようとする課題】
【０００７】
しかしながら、上記従来の技術には、次のような問題があった。
すなわち、断熱材等を使用する場合は、十分な厚みをもって室内ユニット全体を断熱材等で覆う必要がある。このため、室内ユニットを設置するのに大量の断熱材等が必要になる。また、天井裏が高湿になりやすい環境では、断熱材等を厚くしても室内ユニットに結露が生じることがある。また、特許文献１、２に記載の技術では、各種センサや制御機能を空気調和機に追加する必要があるため、空気調和機の製造コストや施工コストが増加してしまう。
【０００８】
本発明の主な目的は、建物の天井部分に室内ユニットを設置する場合に、室内ユニット全体を断熱材等で覆ったり、各種センサや制御機能を空気調和機に追加したりしなくても、室内ユニットの結露を効果的に抑制することができる空気調和機の設置構造および設置方法を提供することにある。
【課題を解決するための手段】
【０００９】
（第１の態様）
本発明の第１の態様は、
建物の天井部分に空気調和機の室内ユニットを設置してなる空気調和機の設置構造であって、
前記室内ユニットの周辺に、前記室内ユニットの側面が面する空間と天井裏の空間とを仕切る仕切り壁を備え、
前記仕切り壁によって前記室内ユニットの周辺に確保された空間が室内の空間に連通している
ことを特徴とする空気調和機の設置構造である。
（第２の態様）
本発明の第２の態様は、
建物の天井部分に空気調和機の室内ユニットを設置する空気調和機の設置方法であって、
前記建物の天井部分に、天井裏の空間と仕切られ、かつ、室内の空間に連通する凹状空間を仕切り壁によって形成する工程と、
前記仕切り壁によって前記天井裏の空間と仕切られた空間に前記室内ユニットの側面が面するように、前記凹状空間に前記室内ユニットを取り付ける工程と、
を備えることを特徴とする空気調和機の設置方法である。
【発明の効果】
【００１０】
本発明によれば建物の天井部分に室内ユニットを設置する場合に、室内ユニット全体を断熱材等で覆ったり、各種センサや制御機能を空気調和機に追加したりしなくても、室内ユニットの結露を効果的に抑制することができる。
【図面の簡単な説明】
【００１１】
【図１】本発明の実施形態において設置の対象とする空気調和機の一構成例を示す概略図である。
【図２】本発明の実施形態に係る空気調和機の設置構造の一構成例を示す側断面概略図である。
【図３】本発明の実施形態に係る空気調和機の設置方法の一例を説明する図（その１）である。
【図４】本発明の実施形態に係る空気調和機の設置方法の一例を説明する図（その２）である。
【図５】本発明の実施形態に係る空気調和機の設置方法の一例を説明する図（その３）である。
【図６】従来における空気調和機の設置例を示す側断面概略図である。
【発明を実施するための形態】
【００１２】
以下、本発明の実施形態について図面を参照しつつ詳細に説明する。
【００１３】
＜空気調和機＞
まず、本発明の実施形態において設置の対象とする空気調和機の一構成例について、図１の概略図を用いて説明する。
図示した空気調和機１は、室外ユニット２と室内ユニット３とを備えた構成になっている。室外ユニット２と室内ユニット３とは配管４によって接続されている。室外ユニット２は、熱交換器５と圧縮機６とを内蔵している。室内ユニット３は、熱交換器７と送風機８とを内蔵している。また、室外ユニット２、室内ユニット３および配管４には、それぞれ空調用の冷媒が封入されている。
【００１４】
上記構成からなる空気調和機１は、次のように動作する。ここでは、一例として冷房時の動作について説明する。
【００１５】
まず、室外ユニット２の圧縮機６で冷媒を圧縮した後、この冷媒を熱交換器５で冷やす。次に、その冷媒を室外ユニット２から配管４を通して室内ユニット３に送る。そうすると室内ユニット３では、配管４を通して取り込んだ冷媒を熱交換器７に取り込み、そこでの熱交換により冷やされた空調空気を送風機８によって吹き出す。一方、熱交換器７で熱交換された冷媒は、配管４を通して室外ユニット２に戻され、再び圧縮機６に取り込まれる。以後、同様の動作を繰り返す。
【００１６】
なお、図１においては、室外ユニット２と室内ユニット３とが１：１の関係になっているが、室外ユニット２の能力その他の仕様によっては両者の関係が１：ｎ（ｎは２以上の整数）になる場合もある。
【００１７】
＜空気調和機の設置構造＞
本発明の実施形態に係る空気調和機の設置構造は、建物の天井部分に空気調和機の室内ユニットを設置する場合に適用されるものである。その場合、空気調和機の設置対象となる建物としては、一戸建などの一般住宅や、マンションなどの集合住宅、事務所、倉庫、工場、校舎など、さまざまなものが考えられる。そのなかでも、天井裏が高湿の環境になりやすい建物、たとえば、メッキ工場などに適用すると、より好適である。
【００１８】
図２は本発明の実施形態に係る空気調和機の設置構造の一構成例を示す側断面概略図である。
図２においては、建物の屋根部分１０と天井部分１２との間の空間が、天井裏１３の空間になっている。天井部分１２には凹状空間１４が形成されている。凹状空間１４は、建物の天井部分１２よりも一段上方に凹む状態で形成されている。凹状空間１４は、室内ユニット３を収容可能な大きさで形成されている。また、凹状空間１４は、室内ユニット３よりも大きな平面寸法で形成されている。
【００１９】
凹状空間１４は、仕切り壁１５によって天井裏１３の空間と仕切られている。仕切り壁１５は、凹状空間１４の側方を空間的に仕切る側壁部分１５ａと、凹状空間１４の上方を空間的に仕切る天壁部分１５ｂとを備えている。側壁部分１５ａは、凹状空間１４を水平方向で４方向から取り囲むように、平面視四角形（正方形または長方形）の枠形に配置されている。また、側壁部分１５ａは、天井部分１２からほぼ垂直に立ち上がっている。天壁部分１５ｂは、側壁部分１５ａが形成する上方の空間を閉じるように、平面視四角形に形成されている。また、天壁部分１５ｂは、天井部分１２よりも高い位置に水平（天井部分１２と平行）に配置されている。
【００２０】
これにより、天井部分１２における凹状空間１４の形成部位は、室内１１の空間に向けて下向きに開口した状態になっている。そして、この開口部分を介して凹状空間１４と室内１１の空間とが相互に連通した状態になっている。ここで記述する「連通」とは、空気（気体）が流通できるように空間的につながった状態をいう。これに対して、凹状空間１４と天井裏１３の空間とは、仕切り壁１５の介在によって非連通の状態になっている。ここで記述する「非連通」とは、空気が流通できないように空間的なつながりが断たれた状態をいう。
【００２１】
室内ユニット３は、天井部分１２の凹状空間１４に埋め込むように配置されている。室内ユニット３は、上述した熱交換器７や送風機８に加えて、化粧パネル９を備えている。化粧パネル９は、室内１１の空間に面して配置されるものである。化粧パネル９は、天井部分１２とほぼ同じ高さに配置されている。化粧パネル９は、冷風などの空調空気を室内１１の空間に吹き出す吹き出し口（不図示）と、室内１１の空間から空気を吸い込む吸い込みグリル（不図示）とを有する。
【００２２】
室内ユニット３の本体部分は、平面視四角形（正方形または長方形）の筐体構造になっている。室内ユニット３の本体部分は、４つの側面３ａと、１つの上面３ｂを有している。４つの側面３ａは、室内ユニット３を設置した場合に、水平方向の４方向（図の左右方向と奥行き方向）を向いて配置され、上面３ｂは、鉛直方向の上方を向いて配置される。これにより、室内ユニット３の周辺には、室内ユニット３を取り囲むように空間１４ａが確保されている。また、室内ユニット３の各側面３ａは、天井裏１３の空間と仕切られた空間１４ａに面して配置されるとともに、この空間１４ａを隔てて、それぞれに対応する側壁部分１５ａに対向して配置されている。
【００２３】
室内ユニット３は、複数本（図では２本のみ表示）の吊りボルト１６を用いて取り付け（据え付け）られている。吊りボルト１６の上端部は、建物の屋根部分１０に固定されている。吊りボルト１６は、屋根部分１０から垂直に垂れ下がった状態で配置されている。吊りボルト１６の下端側は、仕切り壁１５の天壁部分１５ｂを貫通する状態で凹状空間１４内に配置されている。そして、この凹状空間１４に室内ユニット３が吊りボルト１６を用いて取り付けられている。
【００２４】
具体的には、室内ユニット３の側面３ａに、吊りボルト１６の位置に合うように、図示しない取付金具が固定されている。そして、この取付金具を図示しないナットを用いて吊りボルト１６に固定することにより、室内ユニット３が凹状空間１４に取り付けられている。このように、室内ユニット３を天井部分１２に取り付けた状態では、室内ユニット３の側面３ａが仕切り壁１５の側壁部分１５ａに対向するとともに、室内ユニット３の上面３ｂが仕切り壁１５の天壁部分１５ｂに対向する状態となる。
【００２５】
室内ユニット３の側面３ａと仕切り壁１５の側壁部分１５ａとの間には、適度な空間１４ａが確保されている。室内ユニット３の側面３ａの結露を防止するうえでは、その側面３ａから側壁部分１５ａまでの寸法Ｌを、好ましくは、室内ユニット３の幅寸法の１／３程度、具体的には３００ｍｍ程度確保するとよい。
【００２６】
一方、室内ユニット３の上面３ｂと天壁部分１５ｂとの間には、断熱材１７が配置されている。断熱材１７は、室内１１の空間側に露出する室内ユニット３と、天井裏１３の空間側に露出する天壁部分１５ｂとの間の熱移動を抑制することにより、断熱効果を発揮するものである。断熱材１７は、室内ユニット３の上面３ｂの全体を覆うように取り付けられている。このように断熱材１７を取り付けることにより、室内ユニット３の上面３ｂへの埃の侵入や堆積を長期にわたって防止することができる。
【００２７】
断熱材１７は、適度な弾力性（クッション性）を有していることが好ましい。その場合、断熱材１７の材料としては、たとえば、ウレタンフォームなどを用いることができる。断熱材１７が弾力性を有している場合は、室内ユニット３の上面３ｂと天壁部分１５ｂとの間に断熱材１７を挟み込んだときに、断熱材１７を適度に圧縮変形させ、その反力を利用して、室内ユニット３の上面３ｂと天壁部分１５ｂの双方に断熱材１７を隙間なく密着させることができる。
【００２８】
また、建物の天井部分１２には目隠し部材１８が配置されている。目隠し部材１８は、天井部分１２と同じ高さに配置されている。目隠し部材１８は、室内ユニット３の化粧パネル９と仕切り壁１５の側壁部分１５ａとの間の開口部分１９に取り付けられている。また、目隠し部材１８は、室内ユニット３の周辺に確保された空間１４ａと室内１１の空間との境界部に配置されている。この目隠し部材１８の存在により、室内ユニット３周辺の空間１４ａが室内１１側から見えにくくなっている。
【００２９】
また、目隠し部材１８は適度な通気性を有しており、これによって室内ユニット３周辺の空間１４ａと室内１１の空間との間で空気の流通が許容されている。具体的には、目隠し部材１８がメッシュ構造になっており、それぞれの編み目を通風口として適度な通気性が確保されている。メッシュ構造の編み目形状は、正方形、長方形、菱形、三角形、円形、楕円形など任意の形状を採用することができる。また、目隠し部材１８は、たとえば、金属（合金を含む）または樹脂を用いて構成することができる。
【００３０】
目隠し部材１８をメッシュ構造にする場合は、メッシュを細かくすることにより、空間１４ａの存在が室内１１側から視認しずらくなり、それだけ目隠しの効果が高くなる。ただし、過度にメッシュを細かくすると通気性が損なわれる。このため、目隠しの効果と通気性のバランスを考慮してメッシュの細かさを設定するとよい。
【００３１】
＜空気調和機の設置方法＞
続いて、本発明の実施形態に係る空気調和機の設置方法の一例について、図３〜図５を用いて説明する。
【００３２】
まず、図３に示すように、建物の天井部分１２に仕切り壁１５を設け、この仕切り壁１５によって凹状空間１４を形成する。凹状空間１４は、室内ユニット３の取り付けに必要な大きさで天井部分１２を部分的に上方に彫り込むかたちで形成する。具体的には、凹状空間１４を囲むように天井部分１２に側壁部分１５ａと天壁部分１５ｂを設けることにより、天井裏１３の空間と仕切られ、かつ、室内１１の空間に連通する凹状空間１４を形成する。また、建物の屋根部分１０に複数の吊りボルト１６を取り付ける。その際、仕切り壁１５の天壁部分１５ｂに図示しない孔を設けておき、この孔に吊りボルト１６を通すことにより、吊りボルト１６を天壁部分１５ｂに貫通させる。なお、吊りボルト１６は、仕切り壁１５を設ける前に取り付けておいてもよい。
【００３３】
次に、図４に示すように、室内ユニット３の上面３ｂに断熱材１７を取り付ける。このとき、室内ユニット３の上面３ｂ全体を覆えるように、断熱材１７を予め所定の大きさに裁断しておく。そして、その断熱材１７を室内ユニット３の上面３ｂに密着させて固定する。断熱材１７の固定は、たとえば、両面テープなどを用いて行うとよい。
【００３４】
次に、図５に示すように、複数の吊りボルト１６を用いて凹状空間１４に室内ユニット３を取り付ける。具体的には、室内ユニット３の側面３ａに設けられた取付金物（不図示）を、ナット（不図示）を用いて吊りボルト１６に固定することにより、室内ユニット３を凹状空間１４に取り付ける。このとき、室内ユニット３の上面３ｂを覆っている断熱材１７を仕切り壁１５の天壁部分１５ｂに適度な圧力で押し付けることにより、室内ユニット３の上面３ｂと仕切り壁１５の天壁部分１５ｂとの間に断熱材１７をサンドイッチ状に挟み込む。これにより、断熱材１７を天壁部分１５ｂに密着させることができる。
【００３５】
なお、化粧パネル９は、室内ユニット３の取付作業の邪魔になりやすい。このため、室内ユニット３の本体部分から化粧パネル９を取り外した状態で、上述のように室内ユニット３を吊りボルト１６に固定し、その後で化粧パネル９を取り付けるとよい。
【００３６】
次に、上記図１に示すように、室内ユニット３の化粧パネル９と仕切り壁１５の天壁部分１５ｂとの間の開口部分１９に目隠し部材１８を取り付ける。
以上で、室内ユニット３の設置作業が終了となる。
【００３７】
このような手順で建物の天井部分１２に室内ユニット３を設置した場合、室内ユニット３は、天井裏１３の空間ではなく、天井裏１３の空間とは空気の流れが遮断された室内１１側の空間に露出した状態となる。また、室内ユニット３の側面３ａと仕切り壁１５の側壁部分１５ａとの間には、室内ユニット３の全周（４方向）にわたって空間１４ａが確保され、この空間１４ａが室内１１側の空間と連通した状態となる。また、室内ユニット３の上面３ｂと天井裏１３の空間とは、仕切り壁１５の天壁部分１５ｂによって仕切られる。さらに、室内ユニット３の上面３ｂと仕切り壁１５の天壁部分１５ｂとの間には、双方に密着するように断熱材１７が配置され、この断熱材１７によって室内ユニット３と天井裏１３の空間とが熱的に分離される。
【００３８】
＜実施形態の効果＞
本実施形態によれば、以下に示す１つまたは複数の効果が得られる。
【００３９】
本実施形態においては、室内ユニット３の周辺に、天井裏１３の空間と仕切られた空間１４ａが確保されるとともに、室内ユニット３の側面３ａが、室内１１の空間に連通する空間１４ａに面して配置されるため、室内ユニット３の側面３ａに結露が生じにくくなる。よって、従来のように室内ユニット全体を断熱材等で覆ったり、各種センサや制御機能を空気調和機に追加したりしなくても、室内ユニット３の結露を効果的に抑制することができる。また、室内ユニット３が面する空間１４ａの空気は、室内１１の空間に存在する空気と一緒に空気調和機１の室内ユニット３によって温湿度が調節される。このため、室内ユニット３による空調機能を、室内ユニット３の結露防止機能として働かせることができる。
【００４０】
また、本実施形態においては、室内ユニット３の上面３ｂは、仕切り壁１５の天壁部分１５ｂや断熱材１７によって、天井裏１３の空間と熱的に分離されているため、室内ユニット３の上面３ｂにも結露が生じにくくなる。さらに、室内ユニット３と天井裏１３の空間との間の熱伝達が仕切り壁１５や断熱材１７などによって阻害されるため、天井裏１３の温度環境による室内ユニット３の熱損失を抑えて、空気調和機１の負荷を低減することができる。
【００４１】
また、本実施形態においては、室内ユニット３を設置するにあたって、建物の天井部分１２を部分的に上方に彫り込むように凹状空間１４を形成し、この凹状空間１４に吊りボルト１６等を用いて室内ユニット３を取り付けるだけで済む。このため、従来のように室内ユニット全体を断熱材等で覆ったり、各種センサを用いて空気調和機１の駆動を制御したりする場合に比べて、安価に結露防止の効果を得ることができる。
【００４２】
また、本実施形態においては、室内ユニット３の化粧パネル９周りの開口部分１９に目隠し部材１８を取り付けることにより、室内ユニット３周辺の空間１４ａと室内１１の空間との通気性を損なうことなく、天井部分１２の外観上のイメージを良好なものにすることができる。
【００４３】
＜変形例等＞
本発明の技術的範囲は上述した実施形態に限定されるものではなく、発明の構成要件やその組み合わせによって得られる特定の効果を導き出せる範囲において、種々の変更や改良を加えた形態も含む。
【００４４】
たとえば、上記実施形態においては、建物の屋根部分１０に吊りボルト１６を固定し、この吊りボルト１６を用いて室内ユニット３を取り付ける例を挙げたが、これに限らない。たとえば、仕切り壁１５が室内ユニット３の質量に耐え得るだけの十分な強度を有する場合は、天壁部分１５ｂに吊りボルト１６を固定してもよいし、天壁部分１５ｂに直接、室内ユニット３を取り付けてもよい。
【００４５】
また、上記実施形態においては、建物の天井部分に吊りボルト１６を用いて室内ユニット３を取り付ける例を挙げたが、これに限らず、他の部材を用いて室内ユニット３を取り付けてもよい。たとえば、建物の天井部分を構成する躯体（梁など）に金属製のフレームを固定し、このフレームを用いて室内ユニット３を取り付けてもよい。
【００４６】
また、天井部分１２に凹状空間１４を形成する仕切り壁１５については、建築現場での施工により構築してもよいし、あらかじめ工場で生産して建築現場で組み立てる、いわゆるプレファブ工法によって構築してもよい。
【００４７】
また、上記実施形態においては、仕切り壁１５の側壁部分１５ａを天井部分１２から垂直に立ち上げた構成としたが、これに限らず、側壁部分１５ａを鉛直方向に対して斜めに傾けて配置してもよい。
【００４８】
また、上記実施形態においては、室内ユニット３の上面３ｂに断熱材１７を取り付ける例を挙げたが、これに限らず、室内ユニット３の取付位置にあわせて仕切り壁１５の天壁部分１５ｂに断熱材１７を取り付けてもよい。
【００４９】
また、上記実施形態においては、室内ユニット３の上面３ｂと仕切り壁１５の天壁部分１５ｂとの間に断熱材１７を挟み込む例を挙げたが、これに限らず、たとえば、室内ユニット３の上面３ｂと仕切り壁１５の天壁部分１５ｂとの間に、断熱材１７に代えて、空間を設けてもよい。
【００５０】
また、上記実施形態においては、目隠し部材１８をメッシュ構造としたが、これに限らず、たとえば、多数の孔が形成されたパンチングプレートを用いて目隠し部材１８を構成してもよい。
【００５１】
また、上記実施形態においては、目隠し部材１８をメッシュ構造とすることで、室内ユニット３周辺の空間１４ａと室内１１の空間との間の通気性を確保したが、これに限らず、たとえば、目隠し部材１８に代えて、化粧パネル９の縁まで天井部分１２を延在し、この天井部分１２に複数の孔を設けて所望の通気性を確保してもよい。
【００５２】
また、上記実施形態においては、建物の屋根部分１０と天井部分１２との間の空間が、天井裏１３の空間となる場合を例に挙げたが、これに限らず、たとえば２階建て以上の建物の場合は、上階の床部分と下階の天井部分との間の空間が、天井裏の空間となることもあり得る。
【符号の説明】
【００５３】
１…空気調和機
２…室外ユニット
９…化粧パネル
１１…室内
１２…天井部分
１３…天井裏
１４…凹状空間
１５…仕切り壁
１７…断熱材
１８…目隠し部材
【図１】
2017138070.tif 000003
【図２】
2017138070.tif 000004
【図３】
2017138070.tif 000005
【図４】
2017138070.tif 000006
【図５】
2017138070.tif 000007
【図６】
2017138070.tif 000008